(57)【要約】【課題】  収容物入り収容袋を突起刃に押し付けることにより確実に切断できるとともに、切断された収容袋が突起刃以外の部分に絡むことのない破集袋機を提供すること。【解決手段】  破集袋機１０に、高速突起刃２１ａと低速突起刃２１ｂを備えたスチールベルトコンベア２２を設け、搬送面に対向する部分に、反抗ローラ２７および押圧部材３２とチェーン３３からなる制止部材３１を設けた。そして、反抗ローラ２７をスチールベルトコンベア２２で搬送される収容袋の搬送方向に抗するように回転させて、収容袋を高速突起刃２１ａ等に押し付けた。また、押圧部材３２をコイルばね部３２ａ、連結棒３２ｂ、平板部３２ｃで構成し、この押圧部材３２でチェーン３３を押さえることにより収容袋を高速突起刃２１ａ等に押し付けた。さらに、反抗ローラ２７の位置を上下に変更可能にした。また、収容袋を高速突起刃２１ａ等から落下させるエアノズル３９を設けた。【選択図】  図２
2005279498.tif 000002
【特許請求の範囲】
【請求項１】
所定間隔を保って回転可能に支持された一対のローラと、
前記一対のローラに掛け渡されて回転駆動される無端ベルトと、
前記無端ベルトの表面に突出するように前記無端ベルトに固定されて、前記無端ベルトとで収容物が収容された前記収容袋を搬送するとともに、前記収容袋を切断する突起刃と、
上端部が前記無端ベルトの上方に固定され下部側部分が前記無端ベルトの上面に向かって垂れ下がり、前記無端ベルトおよび突起刃によって搬送される前記収容袋を前記突起刃に押し付ける重り部材と
を備え、前記収容物を収容する収容袋を切断して前記収容物と前記収容袋とを分別することを特徴とする破集袋機。
【請求項２】
前記重り部材をチェーンで構成した請求項１に記載の破集袋機。
【請求項３】
前記重り部材に、復元力を備えた部材からなり上端部が前記無端ベルトの上方に固定された押圧部材の下部側部分を連結した請求項１または２に記載の破集袋機。
【請求項４】
前記押圧部材の上端部が固定される固定部を、前記押圧部材に係る前記無端ベルトの下流側に向う力が所定の大きさ以上になったときに、前記無端ベルトの下流側方向に回転するようにした請求項３に記載の破集袋機。
【請求項５】
所定間隔を保って回転可能に支持された一対のローラと、
前記一対のローラに掛け渡されて回転駆動される無端ベルトと、
前記無端ベルトの表面に突出するように前記無端ベルトに固定されて、前記無端ベルトとで収容物が収容された前記収容袋を搬送するとともに、前記収容袋を切断する突起刃と、
回転軸が前記無端ベルトの上方に支持され、前記無端ベルトおよび前記突起刃によって搬送される前記収容袋の搬送方向に抗するように回転して、前記収容袋を前記突起刃に押し付ける回転部材と
を備え、前記収容物を収容する収容袋を切断して前記収容物と前記収容袋とを分別することを特徴とする破集袋機。
【請求項６】
前記回転部材の回転軸の支持位置を、前記無端ベルトの上面に対して上下に変更可能にした請求項５に記載の破集袋機。
【請求項７】
前記収容物を前記無端ベルトの下流端から落下させ、前記収容袋を前記突起刃に係合させた状態で前記無端ベルトの下面側に搬送することにより、前記収容物と前記収容袋とを分別するようにし、前記無端ベルトの下方に、前記収容袋に向って空気を吐出することにより前記収容袋を前記突起刃から分離させる空気吐出装置を設けた請求項１ないし６のうちのいずれか一つに記載の破集袋機。
【請求項８】
前記無端ベルトを、搬送方向と直交する方向に並設した複数の小幅無端ベルトで構成するとともに、それぞれの小幅無端ベルトの表面に前記突起刃を突設した請求項１ないし７のいずれか一つに記載の破集袋機。
【請求項９】
前記複数の小幅無端ベルトにおける隣接する小幅無端ベルト同士の搬送速度を互いに異なる速度に設定した請求項８に記載の破集袋機。
【発明の詳細な説明】
【技術分野】
【０００１】
本発明は、廃棄物等の収容物が詰められた収容袋を切断して、収容物と収容袋とを分別する破集袋機に関する。
【背景技術】
【０００２】
従来から、廃棄物処理施設においては、ポリエチレン等からなる収容袋に詰めて回収される廃棄物を、収容袋から取り出してその種類によって分別することが行われている。その際に、廃棄物が詰められた収容袋を切断して廃棄物を放出させるとともに、切断した収容袋を回収するための破集袋機が用いられている（例えば、特許文献１参照）。この破集袋機は、廃棄物が詰められた収容袋を搬送するコンベアの搬送面に刃板を立設して、コンベアの上方には先端が爪状に形成された棒状のキャッチャーを設けている。そして、このキャッチャーがコンベア上を搬送される収容袋を突き刺して引きちぎることにより廃棄物を収容袋から取り出して収容袋と分離させる。
【特許文献１】特開平１０−２３０１８４号公報
【発明の開示】
【０００３】
しかしながら、前述した破集袋機では、キャッチャーが収容袋を突き刺して捕捉するため、突き刺された収容袋は、キャッチャーの爪状部分に引っ掛かり、キャッチャーの先端部分に溜まってしまう。このため、後続して搬送されてくる収容袋を突き刺して捕捉する際に収容袋の切断ができず、廃棄物を収容袋の内部から取り出すことができなくなるという問題がある。また、キャッチャーに引っ掛かった収容袋の除去作業が面倒であるという問題も有している。
【０００４】
本発明は、前述した問題に対処するためになされたもので、その目的は、無端ベルトで搬送される収容物が詰められた収容袋を突起刃に押し付けることにより確実に切断できるとともに、切断された収容袋が突起刃以外の部分に絡むことのない破集袋機を提供することである。
【０００５】
前述した目的を達成するため、本発明に係る破集袋機の構成上の特徴は、所定間隔を保って回転可能に支持された一対のローラと、一対のローラに掛け渡されて回転駆動される無端ベルトと、無端ベルトの表面に突出するように無端ベルトに固定されて、無端ベルトとで収容物が収容された収容袋を搬送するとともに収容袋を切断する突起刃と、上端部が無端ベルトの上方に固定され下部側部分が無端ベルトの上面に向かって垂れ下がり、無端ベルトおよび突起刃によって搬送される収容袋を突起刃に押し付ける重り部材とを備え、収容物を収容する収容袋を切断して収容物と収容袋とを分別することにある。
【０００６】
前述したように構成した本発明に係る破集袋機によれば、例えば、空き缶等の収容物が詰められた収容袋を無端ベルトの上流側に投入すると、収容袋は無端ベルトと突起刃によって搬送面上を搬送され、重り部材の位置まで移動する。そして、収容袋は、重り部材に当たって搬送方向に沿う移動を抑制され、突起刃に押し付けられる。このため、収容袋は無端ベルトとともに移動する突起刃によって引き裂かれて内部の収容物を搬送面上に放出し、収容袋自体は重り部材に絡むことなく突起刃に引っ掛かったまま収容物とともに、無端ベルトの下流側に運ばれる。
【０００７】
そして、無端ベルトの下流端に到達すると、収容物は搬送面から下方に落下し、収容袋は突起刃によって引きずられて無端ベルトの下面中央側に移動したのち自重によって無端ベルトの下方に落下する。これによって、収容物と収容袋は分別される。なお、このような収容袋が搬送される搬送面は、無端ベルトの表面で構成してもよいし、無端ベルトの上方における突起刃が通過しない部分に静止した板体等を設け、この板体等で構成してもよい。この板体等を搬送面とした場合、収容袋は突起刃の移動によって搬送される。また、重り部材としては、チェーンやワイヤーを垂らしたものや、その先端に鋼球等の重りを取り付けたもので構成することができ、搬送される収容袋を突起刃に適度な力で押し付け、収容袋を搬送面上で詰まらせない構造のものを用いる。
【０００８】
また、本発明に係る破集袋機の他の構成上の特徴は、重り部材をチェーンで構成したことにある。これによると、重り部材が収容袋を上方から突起刃に対して押さえ付けるようになり、より効果的に収容袋を突起刃に押圧できる。この結果、突起刃による収容袋の切断が確実に行えるようになる。この場合の重り部材の長さは、下端部が搬送面に届く程度の長さにしてもよいし、下端部側が搬送面上を下流側に向って延びるような長さにしてもよい。
【０００９】
本発明に係る破集袋機のさらに他の構成上の特徴は、重り部材に、復元力を備えた部材からなり上端部が無端ベルトの上方に固定された押圧部材の下部を連結したことにある。これによると、押圧部材によって重り部材がより大きな力で収容袋を突起刃に押さえ付けることができるため、収容袋は突起刃によって確実に引き裂かれる。また、押圧部材が復元力を備えているため、収容袋が通過したのちに、重り部材は一定の位置に戻る。このため、順次搬送されてくる収容袋には、常に一定位置で一定の荷重が加わるようになり、収容袋の切断を好ましい状態で行える。また、この場合、重り部材の上端部は、無端ベルトの上方に直接固定してもよいし、押圧部材を介して固定してもよい。
【００１０】
本発明に係る破集袋機のさらに他の構成上の特徴は、押圧部材の上端部が固定される固定部を、押圧部材に係る無端ベルトの下流側に向う力が所定の大きさ以上になったときに、無端ベルトの下流側方向に回転するようにしたことにある。この場合の所定の大きさ以上の力とは、収容物や収容袋が重り部材と搬送面との間に詰まって移動できなくなったときに重り部材や押圧部材に係る力である。これによると、収容物や収容袋が詰まったときには、押圧部材が無端ベルトの下流側方向に回転するため、重り部材も押圧部材とともに無端ベルトの下流側に移動する。このため、詰まった収容物や収容袋は、重り部材や押圧部材からの圧迫から解放されて下流側に搬送されていく。このため、収容物や収容袋が重り部材の下で詰まって処理が中断することが防止され、効率のよい破袋処理が可能になる。
【００１１】
本発明に係る破集袋機のさらに他の構成上の特徴は、所定間隔を保って回転可能に支持された一対のローラと、一対のローラに掛け渡されて回転駆動される無端ベルトと、無端ベルトの表面に突出するように無端ベルトに固定されて、無端ベルトとで収容物が収容された収容袋を搬送するとともに収容袋を切断する突起刃と、回転軸が無端ベルトの上方に支持され、無端ベルトおよび突起刃によって搬送される収容袋の搬送方向に抗するように回転して収容袋を突起刃に押し付ける回転部材とを備え、収容物を収容する収容袋を切断して収容物と収容袋とを分別することにある。
【００１２】
この破集袋機によれば、無端ベルトと突起刃によって搬送される収容物が収容された収容袋が、回転部材の位置まで移動すると、その収容袋は、下面に位置する部分が搬送方向と逆方向になるように回転する回転部材の下面に当たって搬送方向に沿う移動を抑制され、突起刃に押し付けられる。このため、収容袋は無端ベルトとともに移動する突起刃によって引き裂かれて内部の収容物を搬送面上に放出し、収容袋は突起刃に引っ掛かったまま収容物とともに、無端ベルトの下流側に運ばれる。
【００１３】
そして、無端ベルトの下流端で、収容物と収容袋は分別される。回転部材としては、突起刃が通過する部分に突起刃を通過させるための溝部等が形成されたローラを用いることができ、収容袋と接触する周面は滑らかな面に形成してもよいし、摩擦を大きくするために粗面や凹凸面に形成してもよい。また、この場合、回転部材は、上方に向かって押し上げることができるようにして設置することが好ましい。これによると、収容物が搬送面と回転部材との間で詰まった場合には、回転部材が上方に押し上げられることにより収容物が回転部材の下方を通過できる。さらに、この破集袋機では、回転部材に加えて重り部材も取り付けることができる。これによると、収容袋の切断をさらに確実に行うことができる。
【００１４】
本発明に係る破集袋機のさらに他の構成上の特徴は、回転部材の回転軸の支持位置を、無端ベルトの上面に対して上下に変更可能にしたことにある。これによると、収容袋の大きさや収容物の内容に応じて、適宜搬送面と回転部材の下面に位置する部分との間の長さを変更することができる。例えば、収容袋が小さなものの場合には回転部材の位置を低くし、収容袋が大きなものの場合には回転部材の位置を高くして、収容袋を突起刃に押え付けるために適した部分に回転部材が当たるようにする。また、収容物が空き缶の場合には回転部材の位置を低くし、収容物がペットボトルの場合には回転部材の位置を高くして、収容物が搬送面と回転部材との間に詰まることがなく、かつ収容袋を確実に切断できる高さにする。これによって、収容袋や収容物に応じた適正な処理が可能になる。
【００１５】
本発明に係る破集袋機のさらに他の構成上の特徴は、収容物を無端ベルトの下流端から落下させ、収容袋を突起刃に係合させた状態で無端ベルトの下面側に搬送することにより、収容物と収容袋とを分別するようにし、無端ベルトの下方に、収容袋に向って空気を吐出することにより収容袋を突起刃から分離させる空気吐出装置を設けたことにある。
【００１６】
通常、突起刃によって切断され収容物と分離した収容袋は、突起刃に引っ掛かった状態で無端ベルトの下面中央側に向って搬送される。その間に、収容袋は自重により突起刃から離れて落下する。この場合に、収容袋が自重で落下せずに、突起刃に引っ掛かったままの状態で、無端ベルトの下面中央側部分まで搬送されたときには、空気吐出装置が吐出する空気によって強制的に突起刃から離され落下する。このため、収容袋を確実に無端ベルトの下方の所定の場所に回収することができる。
【００１７】
本発明に係る破集袋機のさらに他の構成上の特徴は、無端ベルトを、搬送方向と直交する方向に並設した複数の小幅無端ベルトで構成するとともに、それぞれの小幅無端ベルトの表面に突起刃を突設したことにある。これによると、小幅無端ベルトの数を変更することにより、無端ベルトの幅を適宜任意の長さに設定することができる。また、小幅無端ベルトの一部、例えば中央側部分だけが損傷した場合には、その部分だけを取り替えることができ経済的である。
【００１８】
本発明に係る破集袋機のさらに他の構成上の特徴は、複数の小幅無端ベルトにおける隣接する小幅無端ベルト同士の搬送速度を互いに異なる速度に設定したことにある。これによると、隣接する小幅無端ベルトがそれぞれ異なる速度で移動するため、それぞれの小幅無端ベルトに設けられた突起刃の移動速度も異なるようになる。したがって、収容袋は隣り合った小幅無端ベルトの突起刃にジグザグになるように引き裂かれてさらに確実な収容袋の切断が可能になる。すなわち、収容袋は、重り部材や回転部材によって突起刃に押さえ付けられるだけでなく、突起刃同士によっても引きちぎられるようにして切断される。
【発明を実施するための最良の形態】
【００１９】
以下、本発明にかかる破集袋機の一実施形態を図面を用いて説明する。図１は、同実施形態による破集袋機１０の外観を示しており、図２はその側面から見た内部を示している。この破集袋機１０は、外部を形成する支持躯体が、基台１１、長手方向に沿う両側の側面部１２ａ，１２ｂ（図５参照）および天井部１３で構成されており、両側の側面部１２ａ，１２ｂおよび天井部１３の一部が開閉蓋１４ａ，１４ｂに形成されている。この開閉蓋１４ａ，１４ｂは縦断面形状がＬ形の板状体で構成されており、図１に一点鎖線で示したように、破集袋機１０の本体から取り外すと、両側部から破集袋機１０の内部が見える。また、天井部１３も取り外しが可能になっており、これを取り外すことにより上方から破集袋機１０の内部が見える。
【００２０】
破集袋機１０の後端面（図１における右側部分）は開口されて、図３に示したように、破集袋機１０の後部側内部が見えるようになっている。そして、開口の縁部に上側部分と両側部分とからなるカバー１５が設けられている。また、破集袋機１０の前端部は、図４に示したように観音開きの扉１６ａ，１６ｂに形成され、扉１６ａ，１６ｂを開けることにより破集袋機１０の前部側内部が見える。破集袋機１０の前端側部分における側面部１２ａ，１２ｂ間には、回転軸１７ａが支持部材（図示せず）を介して回転自在に支受され、この回転軸１７ａの周面に歯車状の係合ローラ１７が７個間隔を保って取り付けられている。回転軸１７ａの側面部１２ａ側の端部は、側面部１２ａの外面に取り付けられた高速回転用の高速モータ１７ｂに連結され、高速モータ１７ｂの駆動によって回転軸１７ａは高速回転する。
【００２１】
また、側面部１２ａ，１２ｂ間の後端側部分における回転軸１７ａに対向する部分には、回転軸１８ａが支持部材（図示せず）を介して回転自在に支受され、この回転軸１８ａの周面に、係合ローラ１７と同様の歯車状の係合ローラ１８が７個間隔を保って取り付けられている。回転軸１８ａの側面部１２ａ側の端部は、側面部１２ａの外面に取り付けられた低速回転用の低速モータ１８ｂに連結され、低速モータ１８ｂの駆動によって回転軸１８ａは低速回転する。
【００２２】
そして、回転軸１７ａ，１８ａのそれぞれの７個の係合ローラ１７，１８の対向する部分には、それぞれチェーンベルト１９ａ，１９ｂが交互に掛け渡されている。各チェーンベルト１９ａ，１９ｂに噛合する係合ローラ１７のうち両端に設置されたチェーンベルト１９ａと、両端から１個おきに設置されたチェーンベルト１９ａの４個のチェーンベルト１９ａに噛合する係合ローラ１７は、回転軸１７ａに連結固定されて高速モータ１７ｂの駆動によって高速回転し、他の３個のチェーンベルト１９ｂに噛合する係合ローラ１７は、回転軸１７ａとの間にベアリングが設けられて回転軸１７ａに対して回転自在の状態になっている。
【００２３】
一方、各チェーンベルト１９ａ，１９ｂに噛合する係合ローラ１８のうちチェーンベルト１９ｂに噛合する３個の係合ローラ１８は、回転軸１８ａに連結固定されて低速モータ１８ｂの駆動によって低速回転し、チェーンベルト１９ａに噛合する４個の係合ローラ１８は、回転軸１８ａとの間にベアリングが設けられて回転軸１８ａに対して回転自在の状態になっている。また、各チェーンベルト１９ａ，１９ｂの表面には、それぞれ四角形の金属板を連ねて構成されたスチールベルト２０ａ，２０ｂが固定されている。
【００２４】
スチールベルト２０ａの表面には、所定間隔（スチールベルト２０ａを構成する金属板４個分の長さ）を保って四角板状の高速突起刃２１ａが厚み側の側面を進行方向に向けて突設されている。また、スチールベルト２０ｂの表面には、所定間隔（スチールベルト２０ｂを構成する金属板５個分の長さ）を保って四角板状の低速突起刃２１ｂが厚み側の側面を進行方向に向けて突設されている。
【００２５】
そして、回転軸１７ａ，１８ａ、係合ローラ１７，１８、チェーンベルト１９ａ，１９ｂおよびスチールベルト２０ａ，２０ｂで構成されるスチールベルトコンベア２２の上面には、図５に示すように、高速突起刃２１ａおよび低速突起刃２１ｂの通路を除いた部分に、８個の板体からなる静止板２３が敷設されている。したがって、高速モータ１７ｂおよび低速モータ１８ｂを駆動させて回転軸１７ａ，１８ａを回転させると、高速突起刃２１ａおよび低速突起刃２１ｂが静止板２３の上面から突出した状態で、それぞれ異なる速度で上流側（係合ローラ１７側）から下流側（係合ローラ１８側）に移動する。なお、この静止板２３でスチールベルトコンベア２２の搬送面が構成される。また、各チェーンベルト１９ａ，１９ｂおよびそれに対応するスチールベルト２０ａ，２０ｂでそれぞれ本発明の小幅無端ベルトが構成され、これらすべてで無端ベルトが構成される。
【００２６】
また、破集袋機１０の前端側上部には投入口２４が設けられて、この投入口２４から廃棄物等が詰められた収容袋（図示せず）が投入される。投入口２４の下方には傾斜路２５が形成されており、投入口２４に投入された廃棄物はこの傾斜路２５を滑り落ちてスチールベルトコンベア２２の上流端に進む。また、スチールベルトコンベア２２の搬送路における上流側部分には、板状の揺動扉２６が設けられている。この揺動扉２６は破集袋機１０の天井側に設けられた軸部２６ａに回動自在に取り付けられており、垂直位置と下流側方向に傾斜した位置との間だけで揺動可能になっている。したがって、傾斜路２５から搬送されてくる廃棄物を、下流方向にのみ通し、逆方向へは通過させない。
【００２７】
また、静止板２３の略中央における上方には、本発明の回転部材としての反抗ローラ２７が係合ローラ１７，１８と平行して設けられている。この反抗ローラ２７は回転軸２７ａの周面に一定間隔で取り付けられた６個の小ローラで構成されている。回転軸２７ａの両端部は、それぞれ側面部１２ａ，１２ｂの略中央部における上端から下方に向けて形成された縦溝２８ａ，２８ｂ内に位置決めされて、支持部２９等によって回転可能な状態で支持されている。
【００２８】
支持部２９は、回転軸２７ａの一端部をモータ２７ｂに連結しており、モータ２７ｂの駆動によって、回転軸２７ａは反抗ローラ２７とともに回転する。また、支持部２９は固定アングルおよびボルト（図示せず）によって側面部１２ｂに固定されており、固定アングルとボルトの側面部１２ｂへの固定位置を変更することにより、回転軸２７ａの高さを縦溝２８ａ，２８ｂ内で変更することができる。また、側面部１２ａには、回転軸２７ａの他端部を支持する支持部と固定アングル（図示せず）が取り付けられている。
【００２９】
また、静止板２３の上方における反抗ローラ２７の下流側部分には、複数の制止部材３１が所定間隔を保って垂設されている。この制止部材３１は、図６（ａ），（ｂ）に示すように、押圧部材３２と、本発明の重り部材としてのチェーン３３とで構成され、チェーン３３の下端側部分をスチールベルトコンベア２２の搬送方向の下流側に沿わせた状態で、押圧部材３２の上部が天井部１３の下面に取り付けられている。すなわち、押圧部材３２は、コイルばね３２ａと、コイルばね３２ａの一端から下方に延びる連結棒３２ｂと、連結棒３２ｂの下端部に固定された平板部３２ｃとで構成されている。そして、連結棒３２ｂに、チェーン３３の上部側部分が固定されて制止部材３１が構成されている。
【００３０】
制止部材３１は、スチールベルトコンベア２２の搬送方向に直交して静止板２３の上方に配設された２個の固定棒３４に、上端部が固定されて取り付けられている。固定棒３４は、円柱状の固定部３４ａを備えており、この固定部３４ａにコイルばね３２ａを係合させて制止部材３１は固定棒３４に取り付けられている。この固定棒３４は、軸回り方向に回転可能になっており、廃棄物等が詰まって所定の力が押圧部材３２に加わったときに、図２における反時計回り方向に回転する。また、この固定棒３４の端部には、レバー（図示せず）が設けられて、手動で回転させることもできる。また、チェーン３３は押圧部材３２の復元力によって、一定の位置に位置するようになる。また、平板部３２ｃは、チェーン３３をスチールベルトコンベア２２の搬送面を搬送されてくる収容袋側に付勢するように作用する。
【００３１】
また、スチールベルトコンベア２２の下流端の下方には、分別ローラ３５が設置されている。この分別ローラ３５は、反抗ローラ２７と略同一の構成からなっており、軸部３５ａの両端部を、側面部１２ａ，１２ｂの後端側下部に取り付けられた支持片３６に支持されるとともに、支持片３６の下方に取り付けられた突片３７の上面に設置されたばね３８に支受されてばね３８の弾性によって上下に振動可能になっている。そして、この分別ローラ３５は、モータ３５ｂを駆動させることによりスチールベルトコンベア２２の搬送方向と同方向（図２における時計回りの方向）に回転駆動する。
【００３２】
なお、反抗ローラ２７および分別ローラ３５を構成する各小ローラの間の隙間は、高速突起刃２１ａおよび低速突起刃２１ｂの通路のために形成されており、その隙間は、空き缶（容量が３５０〜５００ｃｃ程度のもの）が通過できない幅に設定されている。また、分別ローラ３５の周面は、縦溝と横溝が交差した凹凸面に形成されている。そして、スチールベルトコンベア２２の下方に、収容袋を回収するための回収部３９ａが設けられ、その壁面に、本発明の空気吐出装置としてのエアノズル３９が吐出口をスチールベルトコンベア２２の下面中央部に向けて設置されている。
【００３３】
この構成において、例えば、廃棄物用の収容袋に詰められた空き缶を再生処理する場合には、まず、空き缶を収容する収容袋を破って、空き缶を収容袋から取り出し、空き缶と収容袋を分別することが行われる。このため、最初に、支持部２９および固定アングルの固定位置を所定位置にすることにより変更反抗ローラ２７の高さを所定の高さに調節する。そののちに、高速モータ１７ｂ、低速モータ１８ｂおよびモータ２７ｂ，３５ｂの各モータを駆動させて、スチールベルトコンベア２２を駆動させるとともに、反抗ローラ２７および分別ローラ３５を回転させる。この場合、反抗ローラ２７および分別ローラ３５は、図２における時計周り方向に回転させる。また、エアノズル３９を電気制御により作動させ間欠的にエアを吐出させる。
【００３４】
そして、投入口２４に空き缶の入った収容袋を投入する。収容袋は傾斜路２５を経て静止板２３の上流端に運ばれ、高速突起刃２１ａおよび低速突起刃２１ｂによって、静止板２３の上面を搬送される。その搬送の際に、収容袋は、反抗ローラ２７に当たって、搬送方向への移動を抑制されるとともに、高速突起刃２１ａおよび低速突起刃２１ｂに押し付けられる。このため、収容袋は、搬送面から突出して移動する高速突起刃２１ａおよび低速突起刃２１ｂによって引き裂かれて、内部の空き缶を静止板２３上に放出する。
【００３５】
また、その際、高速突起刃２１ａと低速突起刃２１ｂの移動速度が異なるため、高速突起刃２１ａは、前方の低速突起刃２１ｂを追い抜いて移動していく。このため、空き缶を収容する収容袋は、高速突起刃２１ａによって下流側に押されながら、低速突起刃２１ｂおよび反抗ローラ２７によって高速突起刃２１ａに追従した移動を規制されるようになる。また、収容袋のある部分は、低速突起刃２１ｂによって下流側に押されながら、反抗ローラ２７によって低速突起刃２１ｂに追従した移動を規制されるようになる。このため、収容袋は、効率よく切断され内部の空き缶を放出する。
【００３６】
また、反抗ローラ２７の下方で収容袋や空き缶が詰まった場合には、その反力によって反抗ローラ２７は上方に押し上げられる。このため、収容袋や空き缶はそのままスチールベルトコンベア２２の下流側に搬送されていく。そして、収容袋や空き缶が通過した後に、反抗ローラ２７はもとの位置に戻る。また、空き缶を放出することなく収容袋が反抗ローラ２７の下方を通過した場合には、その収容袋は、制止部材３１のチェーン３３に当たって搬送方向への移動を抑制され、再度、高速突起刃２１ａおよび低速突起刃２１ｂに押さえ付けられる。このため、収容袋は、高速突起刃２１ａおよび低速突起刃２１ｂによって引き裂かれて、内部の空き缶を静止板２３上に放出する。
【００３７】
その際、チェーン３３は、搬送されてくる収容袋を上方から押さえるようにして高速突起刃２１ａおよび低速突起刃２１ｂに押し付け、さらに、平板部３２ｃがチェーン３３を収容袋側に押し付ける。このため、収容袋が浮き上がって高速突起刃２１ａおよび低速突起刃２１ｂを乗り越えることがなく確実に収容袋の切断が行える。また、制止部材３１の上部側には、コイルばね３２ａが備わっているため、空き缶と収容袋が通過したのちはチェーン３３はもとの位置に戻り、つぎに搬送されてくる収容袋を同じ位置で高速突起刃２１ａおよび低速突起刃２１ｂに押し付ける。
【００３８】
つぎに、引き裂かれた収容袋と空き缶が、スチールベルトコンベア２２の下流端に達すると、下方に落下していくが、この場合、空き缶は、破集袋機１０の後方に集まっていく。一方、収容袋は、高速突起刃２１ａまたは低速突起刃２１ｂに絡んだ状態で、分別ローラ３５の各隙間を通過する。そして、スチールベルトコンベア２２の下面側に進んだところで自重によって下方の回収部３９ａ内に落下する。また、落下せずに、スチールベルトコンベア２２の下面中央部近傍まで進んだ収容袋は、エアノズル３９が吐出するエアによって強制的に高速突起刃２１ａや低速突起刃２１ｂから離されるため、搬送中に必ず落下していく。
【００３９】
なお、収容袋が空き缶を収容したまま分別ローラ３５まで搬送されてきた場合には、収容袋の一部は、高速突起刃２１ａや低速突起刃２１ｂによってスチールベルトコンベア２２の下面側に引っ張られ、収容袋の他の部分は、分別ローラ３５の凹凸面によって外部側に引き戻そうとされる。このため、収容袋は引き裂かれてスチールベルトコンベア２２の下方に引っ張られて移送され、空き缶は引き裂かれた収容袋から放出されて分別ローラ３５の下方に落下する。そして、収容袋は再生処理か、または廃棄処理され、空き缶は、次の工程に送られ再生のための処理が順次行われる。
【００４０】
このように、この破集袋機１０によれば、空き缶を収容する収容袋を確実に引き裂いて空き缶を袋から取り出すことができるとともに、空き缶と引き裂かれた収容袋を分別して回収することができる。また、その際、反抗ローラ２７や制止部材３１は収容袋の移動を制止して収容袋を高速突起刃２１ａや低速突起刃２１ｂに押し付けるだけであるため切断された収容袋が絡むことがない。さらに、空き缶と分離された収容袋は、エアノズル３９が吐出するエアによって強制的に高速突起刃２１ａや低速突起刃２１ｂから離されるため、確実な回収処理が行える。
【００４１】
また、廃棄物用の収容袋に詰められたペットボトルを再生処理する場合には、まず、支持部２９および固定アングルの固定位置を所定位置に変更することにより反抗ローラ２７の高さをペットボトルの処理に適した所定の高さに調節する。そして、前述した操作を行う。これによって、ペットボトルと収容袋を分別して回収することができる。また、この破集袋機１０は、種々の処理を行うための装置とともに連続したラインに設置されることがあり、その場合には、空き缶等を収容袋に入れてないばらばらの状態で、投入口２４に投入することがある。その際には、反抗ローラ２７の回転方向は、図２の状態で反時計回りにしておく。これによって搬送能力が向上する。
【００４２】
なお、本発明は、前述した実施形態に限定するものでなく、適宜変更実施が可能である。例えば、前述した実施形態では、破集袋機１０に、反抗ローラ２７と制止部材３１の両方を設けているが、これらのどちらか一方だけを設けてもよい。また、前述した実施形態では、チェーン３３を押圧部材３２を介して固定棒３４に取り付けているが、チェーン３３は押圧部材３２を介さず直接固定棒３４に取り付けてもよい。この場合押圧部材３２は用いなくてもよい。また、重り部材としては、チェーン３３に限らず、ワイヤー等を用いることもできる。また、チェーン３３やワイヤーの先端に鋼球等の重りを取り付けて重り部材を構成することもできる。
【００４３】
さらに、反抗ローラ２７の周面に収容袋を切断するための突起等を設けることもできる。また、前述した実施形態では、搬送面を静止板２３の上面で構成しているが、この搬送面はチェーンベルト１９ａ，１９ｂおよびスチールベルト２０ａ，２０ｂ等からなるるチェーンベルトコンベア２２の表面で構成することもできる。この場合、切断された収容袋から出た空き缶は、高速突起刃２１ａおよび低速突起刃２１ｂだけでなくチェーンベルトコンベア２２の搬送面によっても搬送されるようになる。
【００４４】
また、スチールベルトコンベア２２の両端に対設されるローラについては、前記実施形態では、回転軸１７ａ，１８ａにそれぞれ７個設けられた歯車状の係合ローラ１７，１８としているが、これを長い１個のローラで構成することができる。この場合、回転軸１７ａまたは１８ａにそれぞれ対応するローラを連結固定するとともに、ローラにおけるチェーンベルト１９ａ，１９ｂに噛合する部分には歯車を設け、チェーンベルト１９ａ，１９ｂに対してフリーの状態にする部分にはチェーンベルト１９ａ，１９ｂが摺動できる面にしておく。また、回転軸１７ａ，１８ａを大径にしてこれをローラとすることもできる。
【００４５】
また、本実施形態では、スチールベルトコンベア２２の上流側に高速モータ１７ｂを取り付け、下流側に低速モータ１８ｂを取り付けているが、これを逆にすることもできる。また、このモータは、回転軸１７ａ，１８ａの一方だけに取り付けることもでき、その場合、チェーンベルト１９ａ，１９ｂに噛合する係合ローラ１７，１８の直径を変えることにより、隣り合ったチェーンベルト間の速度に変化をつけることもできる。さらに、前記実施形態では、廃棄物を空き缶およびペットボトルとしたが、破集袋機１０で処理する廃棄物は、空き缶やペットボトルに限らず、再生処理が行われる廃棄物であれば何にでも使用することができる。
【図面の簡単な説明】
【００４６】
【図１】本発明の一実施形態に係る破集袋機を示した斜視図である。
【図２】図１に示した破集袋機の側面側の内部を示した側面図ある。
【図３】図１に示した破集袋機の背面図である。
【図４】図１に示した破集袋機の前面側の内部を示した正面図である。
【図５】図１に示した破集袋機の内部を上方から見た平面図である。
【図６】（ａ）は制止部材を示した側面図、（ｂ）はその正面図である。
【符号の説明】
【００４７】
１０…破集袋機、１７，１８…係合ローラ、１７ａ，１８ａ，２７ａ…回転軸、１９ａ，１９ｂ…チェーンベルト、２０ａ，２０ｂ…スチールベルト、２１ａ…高速突起刃、２１ｂ…低速突起刃、２２…スチールベルトコンベア、２３…静止板、２７…反抗ローラ、２９…支持部、３１…制止部材、３２…押圧部材、３２ａ…コイルばね部、３２ｂ…連結棒、３２ｃ…平板部、３３…チェーン、３９…エアノズル、３９ａ…回収部。
【図１】
2005279498.tif 000003
【図２】
2005279498.tif 000004
【図３】
2005279498.tif 000005
【図４】
2005279498.tif 000006
【図５】
2005279498.tif 000007
【図６】
2005279498.tif 000008